(57)【要約】【課題】吸放湿を抑制することができる外観が良好な木質床材を提供する。【解決手段】木質基材２の表面２ａに木質材からなる表面材９が配設された木質化粧板１０と、透明な防湿シート２０とを備えた木質床材１である。木質基材２は、側端２ｂに、隣接配置される木質床材１と嵌合可能な実部３を有し、木質化粧板１０は、側端１０ｂの表面側縁部に面取り部１１を有している。防湿シート２０は、木質化粧板１０の表面１０ａ側に配設されて木質化粧板１０の表面１０ａ及び面取り部１１を被覆する。【選択図】図１
2015010384.tif 000002
【特許請求の範囲】
【請求項１】
木質基材の表面に木質材からなる表面材が配設された木質化粧板と、透明な防湿シートとを備え、前記木質基材は、側端に、隣接配置される木質床材と嵌合可能な実部を有し、前記木質化粧板は、側端の表面側縁部に面取り部を有し、前記防湿シートは、前記木質化粧板の表面側に配設されて前記木質化粧板の表面及び前記面取り部を被覆することを特徴とする木質床材。
【請求項２】
前記木質基材の前記実部の少なくとも表面材側の部分が前記防湿シートで被覆されていることを特徴とする請求項１に記載の木質床材。
【請求項３】
前記木質化粧板の表面に化粧溝が形成され、前記防湿シートで前記化粧溝が被覆されていることを特徴とする請求項１または２に記載の木質床材。
【発明の詳細な説明】
【技術分野】
【０００１】
本発明は、木質床材に関する。
【背景技術】
【０００２】
従来から、突板張り合板などの原板の表面に、耐傷性や耐汚染性などの表面性能を確保するために塗料が塗布された木質床材が知られている（例えば、特許文献１参照）。
【先行技術文献】
【特許文献】
【０００３】
【特許文献１】特開平１０−１０２７４４号公報
【発明の概要】
【発明が解決しようとする課題】
【０００４】
木質床材はその材質の特性上、吸放湿が高く、湿気による床材の反り、目隙、突き上げなどの問題が生ずることがある。特許文献１に記載された木質床材では、低透湿性の塗料を使用したりその塗料の塗膜の厚みを厚くしたりすることによって吸放湿をある程度抑制することができる。しかしながら、低透湿性の塗料の使用は吸放湿の抑制に一定の効果を示すもののその抑制効果をさらに向上させることは難しい。塗膜の厚みを厚くすることは製造上色ムラや厚みムラなどが生じやすくなり木質床材の外観を損ねてしまうという問題が指摘される。
【０００５】
本発明は、以上のとおりの事情に鑑みてなされたものであり、吸放湿を抑制することができる外観が良好な木質床材を提供することを課題としている。
【課題を解決するための手段】
【０００６】
上記の課題を解決するために、本発明の木質床材は、木質基材の表面に木質材からなる表面材が配設された木質化粧板と、透明な防湿シートとを備え、木質基材は、側端に、隣接配置される木質床材と嵌合可能な実部を有し、木質化粧板は、側端の表面側縁部に面取り部を有し、防湿シートは、木質化粧板の表面側に配設されて木質化粧板の表面及び面取り部を被覆することを特徴とする。
【０００７】
この木質床材においては、木質基材の実部の少なくとも表面材側の部分が防湿シートで被覆されていることが好ましい。
【０００８】
この木質床材においては、木質化粧板の表面に化粧溝が形成され、防湿シートで化粧溝が被覆されていることが好ましい。
【発明の効果】
【０００９】
本発明によれば、吸放湿を抑制することができ、しかも外観が良好である。
【図面の簡単な説明】
【００１０】
【図１】本発明の一実施形態である木質床材の断面概略図である。
【発明を実施するための形態】
【００１１】
図１は、本発明の一実施形態である木質床材の断面概略図である。
【００１２】
木質床材１は、木質基材２の表面２ａに木質材からなる表面材９が配設された木質化粧板１０と、透明な防湿シート２０とを備える。
【００１３】
木質化粧板１０を構成する木質基材２は、パーティクルボード、合板、中密度繊維板（Medium Density Fiberboard：ＭＤＦ）、木粉と樹脂の混合物を板状に成形して形成される混合ボード（Wood Plastic Board：ＷＰＢ）、配向性ストランドボードなどを挙げることができる。または、これらを複合したものを木質基材２とすることもできる。例えば、合板の表面にＭＤＦやＷＰＢを接着して複合化したものを木質基材２として使用することができる。このような木質基材２は、平面視長方形状を有している。
【００１４】
木質基材２は、側端２ｂに、隣接配置される別の木質床材１と嵌合可能な実部３を有する。より詳細には、木質基材２の周囲の４側端２ｂのうち長手方向に沿う一対の側端２ｂの一方に突条部４を有する雄実５が形成され、他方に突条部４と嵌合可能な凹溝部６を有する雌実７が形成されている。雌実７の凹溝部６の溝深さは、突条部４の突出長さと略等しく、雌実７の凹溝部６の溝幅は、突条部４の厚みと略等しく形成されている。雄実５の突条部４の先端部１３は、凹溝部６内への挿入を容易にするために、面取り加工が施されていてもよい。
【００１５】
このような雄実５及び雌実７は、木質基材２の長手方向に沿う一対の側端２ｂだけでなく、木質基材２の短手方向に沿う一対の側端２ｂにも同じように形成されている。木質床材１の雄実５を別の木質床材１の雌実７に嵌合させてこれら２枚の木質床材１を接合させることができるので、複数枚の木質床材１同士を接合して建物の床下地部に敷設することができる。
【００１６】
雄実５の突条部４の表面側の基端部付近には、内側への切り込み溝８が形成されている。この切り込み溝８は、木質床材１同士を接合させたときに断面視略三角形状の中空部が形成されるように加工されている。このため、例えば、木質床材１の端部付近に釘打ちしたときに、釘の頭が断面視略三角形状の中空部に収納され、木質床材１同士をより確実に接合させることができる。また、連続配置した木質床材１にワックスなどをかけたとき、木質床材１同士の接合部からワックスが侵入する場合があるが、このような場合にも、侵入したワックスは、切り込み溝８によって形成される断面視略三角形状の中空部に留まる。このため、接合部付近の床面の膨れなどを抑制することができる。
【００１７】
木質基材２の表面２ａに配設される表面材９は、例えば、突板や化粧単板であり、ブナなどの無垢の自然木材を薄くスライスした単板として得ることができる。表面材９は、木質基材２と同様の平面視矩形形状を有しており、その大きさは平面視で木質基材２と同じ大きさとされている。
【００１８】
表面材９は木質基材２の表面２ａに公知の方法で貼着される。例えば、ウレタン樹脂接着剤、メラミン樹脂接着剤などの木材用接着剤を使用して貼着することができる。こうして木質基材２の表面２ａに表面材９が配設された木質化粧板１０が得られる。
【００１９】
木質化粧板１０は、側端１０ｂの表面側縁部に面取り部１１を有する。面取り部１１は、木質化粧板１０の周囲４側端１０ｂの表面側角部を全周に亘って鋸やルーターなどの切削工具を用いて切削するなど面取り加工することによって形成される。面取り加工は、表面材９のみを切削してもよいが、木質基材２に達する深さまで切削することもできる。木質基材２に達する深さまで切削されるなどして面取り加工された面取り部１１は、木質基材２が露出する面取り面１１ａを有する。本実施形態では、面取り部１１は木質基材２が露出しており、平面状（Ｃ面取り）の面取り面１１ａを有している。面取り面１１ａは、断面視円弧状の曲面（Ｒ面取り）であってもよい。
【００２０】
本実施形態では、面取り面１１ａがＣ面取りであり、複数枚の木質床材１同士を接合して敷設した際に、接合部に断面視Ｖ字状の溝を目地などとして形成する。この溝によって、接合部に生じる隙間や段差が目立たないようにしている。また、木質床材１の敷設によって形成される床面に立体感を現出させるなど装飾的効果を向上させてもいる。なお、面取り面１１ａがＲ面取りの場合には、接合部に断面視Ｕ字状の溝が形成される。
【００２１】
木質化粧板１０の表面１０ａには、図１に示すように、化粧溝１２が形成されていてもよい。化粧溝１２によって、床面に立体感を現出させるなどの装飾的効果が奏される。また、複数枚の木質床材１同士を接合して敷設した際に、接合部の位置を目立たなくする効果も有する。
【００２２】
化粧溝１２の断面形状は、接合部の溝の断面形状と同一形状とすることが好ましい。これによって、上記した効果をより一層向上させることができる。本実施形態では、接合部に形成される溝の断面形状と同一形状となるように、断面視Ｖ字形状の化粧溝１２が形成されている。面取り部１１がＲ面取りの面取り面１１ａを有している場合には断面視Ｕ字形状の化粧溝１２を形成することが好ましい。このような化粧溝１２は、上記したような切削工具を用いて木質化粧板１０の表面１０ａを木質化粧板１０の長手方向や短手方向に沿って切削するなどして形成される。
【００２３】
透明な防湿シート２０は、木質化粧板１０の表面１０ａ側に配設されて木質化粧板１０の表面１０ａ及び面取り部１１を被覆する。ここで、透明な防湿シート２０の透明とは、透光性を有し、その部材を通して向こう側が透けて見える状態を意味する。例えば、防湿シート２０を木質化粧板１０に配設したときに、防湿シート２０が配設される木質化粧板１０の配設面の模様などが防湿シート２０を通して認識可能な状態であることを指す。また、透明には、無色透明に限らず、色のついた着色（有色）透明も含む。
【００２４】
防湿シート２０は、例えば、ポリプロピレンやポリエチレンなどのオレフィン系樹脂、ポリ塩化ビニルなど、合成樹脂製のものを例示することができる。また、防湿シート２０は、防湿性の観点から、透湿性が低いもの、例えば、透湿度（水蒸気透過度）が、５０ｇ／ｍ２・２４ｈ以下のものを一応の目安とすることができる。防湿シート２０の厚みは、例えば、５０μｍ〜０．５ｍｍの範囲内とすることができる。
【００２５】
木質化粧板１０への防湿シート２０の配設方法は、特に限定されず、公知の方法によって行うことができる。例えば、合成樹脂製の防湿シート２０であれば、合成樹脂を熱融着させることによって防湿シート２０を木質化粧板１０に配設することができる。具体的には、防湿シート２０がポリプロピレンからなる場合は１８０℃前後で熱融着させ、ポリエチレンからなる場合は１２０℃前後で熱融着させる。この際、木質化粧板１０の形状に合わせて防湿シート２０の傾斜角度を順次変化させながら貼着するラッピングマシンなどを適宜利用することもできる。また、ウレタン樹脂接着剤やメラミン樹脂接着剤などの接着剤を使用して防湿シート２０を木質化粧板１０に貼着することもできる。接着剤を使用する場合には使用後の状態が透明なものを使用する。このようにして木質化粧板１０に防湿シート２０が配設された木質床材１は、防湿シート２０を通して木質化粧板１０の配設面の模様などが認識可能とされている。
【００２６】
木質化粧板１０の表面１０ａ側に配設された防湿シート２０は、木質化粧板１０の表面１０ａ及び面取り部１１を被覆するので、木質床材１からの吸放湿を抑制することができる。これによって、湿気による木質床材１の反り、目隙、突き上げなどの発生を抑えることができる。特に木質基材２がパーティクルボードの場合、内部に空隙を多く含むため湿気の影響が大きくなりやすいが、木質化粧板１０の表面１０ａ側に防湿シート２０を配設することで、湿気による木質床材１の反り、目隙、突き上げなどの発生を特に抑えることができる。また、防湿シート２０は透明であるため、木質化粧板１０の外観に与える影響が小さい。このため、木質化粧板１０の良好な外観を維持することができるので、木質床材１の外観は良好である。
【００２７】
このように木質床材１は木質化粧板１０の表面１０ａ及び面取り部１１が防湿シート２０で被覆されているが、図１に示すように、木質基材２の実部３の少なくとも表面材９側の部分が防湿シート２０で被覆されていてもよい。より詳細には、木質床材１の雄実５側の部分においては、防湿シート２０は雄実５の突条部４の表面材９側の部分及び先端部１３を被覆しており、防湿シート２０の端部が雄実５の突条部４の先端部１３に配置されている。木質床材１の雌実７側の部分においては、防湿シート２０は雌実７の表面材９側の部分及び凹溝部６内の表面材９側の部分を被覆しており、防湿シート２０の端部が雌実７の凹溝部６内の表面材９側の部分に配置されている。
【００２８】
本実施形態では、木質基材２の実部３の少なくとも表面材９側の部分が防湿シート２０で被覆されているので、実部３からの吸放湿を抑制することができ、木質床材１からの吸放湿をより一層抑制することができる。しかも、防湿シート２０を木質化粧板１０の表面１０ａ側に配設するという一工程で木質化粧板１０の表面１０ａ、面取り部１１、及び実部３を一枚の防湿シート２０で被覆することができる。背景技術で説明したような低透湿性の塗料を使用する場合、一般的には、突板張り合板などの原板に実加工を施して実部を形成した後に塗装を施すが、原板の表面への塗装と実部への塗装を別工程で行わなければならず、製造工程が増えてしまう。これに対して本実施形態では、木質化粧板１０の表面１０ａ、面取り部１１、及び実部３を防湿シート２０で一工程で被覆することができるので、生産性良く、低コストで木質床材１を製造することができる。
【００２９】
防湿シート２０は木質化粧板１０の表面１０ａの化粧溝１２にも密着しており、化粧溝１２は防湿シート２０で被覆されている。このため、化粧溝１２からの吸放湿を抑制することができ、木質床材１からの吸放湿をより一層抑制することができる。
【００３０】
このように木質床材１は、木質基材２の表面２ａに木質材からなる表面材９が配設された木質化粧板１０と、透明な防湿シート２０とを備えている。木質基材２は、側端２ｂに、隣接配置される木質床材１と嵌合可能な実部３を有している。木質化粧板１０は、側端１０ｂの表面側縁部に面取り部１１を有している。防湿シート２０は、木質化粧板１０の表面１０ａ側に配設されて木質化粧板１０の表面１０ａ及び面取り部１１を被覆している。かかる構成の木質床材１は、吸放湿を抑制することができる。また、防湿シート２０は透明であるため、木質化粧板１０の外観に与える影響は小さく、木質床材１の外観は良好である。
【００３１】
本発明の木質床材は、以上の形態に限定されることはない。例えば、木質基材の実部全体や木質化粧板の裏面を防湿シートで被覆することもできる。また、木質化粧板の裏面を防湿シートに代えて防湿紙（防湿シートと紙を積層したシート）で被覆することもできる。これによって、木質床材からの吸放湿をより一層抑制することができる。さらにまた、木質化粧板の表面及び面取り部のみを防湿シートで被覆することもできる。防湿シートの大きさをできるだけ抑えて木質化粧板に配設するので低コストである。
【００３２】
以下、実施例により本発明をさらに詳しく説明するが、本発明はこれらの実施例に何ら限定されるものではない。
【実施例】
【００３３】
＜実施例１＞
下記の部材を使用して図１に示した木質床材と同じ構成の木質床材を準備し、その裏面を防湿紙で被覆した木質床材を得た。なお、木質床材の側端の表面側縁部には、約１．５ｍｍの面取り部を形成した。
・木質基材：パーティクルボード（厚み１２ｍｍ）
・表面材：ブナ単板（厚み０．２５ｍｍ）
・透明な防湿シート：オレフィン系樹脂製のシート（厚み０．１ｍｍ、タツノ化学社製）
＜実施例２＞
実施例１で得られた木質床材において木質化粧板の表面及び面取り部のみが防湿シートで被覆されている以外は、実施例１で得られた木質床材と同様の構成を有する木質床材を得た。
＜比較例＞
実施例１で得られた木質床材において防湿シートを使用する代わりに低透湿性のアクリルエマルジョン塗料を木質化粧板の表面及び面取り部のみに塗装した以外は、実施例１で得られた木質床材と同様の構成を有する木質床材を得た。
＜木質床材の吸放湿能の評価＞
実施例１−２及び比較例で得られた木質床材の重量減少率を測定し、吸放湿能を評価した。
【００３４】
木質床材の重量減少率は次のようにして求めた。雄実を別の木質床材の雌実に嵌合させた部分を中央に配置した１０ｃｍ角サンプルの側面４面をアルミニウムテープで覆い、４０℃、３０％ＲＨのチャンバーで４日間乾燥させ、乾燥前後の重量から重量減少率を求めた。その結果を表１に示す。
【００３５】
【表１】
2015010384.tif 000003
【００３６】
表１の結果から、実施例１−２で得られた木質床材の重量減少率は比較例で得られた木質床材の重量減少率よりも小さいことが確認された。これは実施例１−２で得られた木質床材は比較例で得られた木質床材よりも乾燥しにくくなっていることを意味しており、木質化粧板の表面及び面取り部を防湿シートで被覆することで木質床材の乾燥を大幅に抑制することができることを示唆している。吸湿に関してもほぼ同様のことが言え、木質化粧板の表面及び面取り部を防湿シートで被覆することで木質床材の吸湿を大幅に抑制することができる。
【００３７】
また、実施例１で得られた木質床材の重量減少率は実施例２で得られた木質床材の重量減少率よりも小さいことが確認された。このことから、木質基材の実部の少なくとも表面材側の部分を防湿シートで被覆することで木質床材の吸放湿をさらに抑制することができることが確認された。
【符号の説明】
【００３８】
１  木質床材
２  木質基材
２ａ  表面
２ｂ  側端
３  実部
９  表面材
１０  木質化粧板
１０ａ  表面
１０ｂ  側端
１１  面取り部
２０  防湿シート
【図１】
2015010384.tif 000004